(57)【要約】      （修正有）【課題】あらゆる給水・散水・清掃対象物についてもその周囲を回りながら短い給水ホースで給水・散水・清掃できるようにした、給水ホースの取り回しが極めて楽で、便利かつ画期的な全方位給水装置を提供する。【解決手段】給水本体４を給水対象物たる自動車の設置面たるルーフに固定して、下側の給水ホースは５雌型ホース接続具６を介して給水本体４の雄型ホース接続具と給水源に接続し、上側の給水ホース９は、雌型ホース接続具１０を介して給水本体４の雄型ホース接続具８に接続すれば、水平方向に全方位旋回可能となることにより、給水本体４を中心として上側の給水ホース９の長さを半径とする円の内部の範囲及びその周囲に給水又は散水可能とする構成を特徴とする。【選択図】図１
0003189268.tif 000002
【実用新案登録請求の範囲】
【請求項１】
給水対象物の設置面に固定するための固定装置を下部に設け雄型ホース接続具を固定するための固定面を上部に設けてなる給水本体を備え、給水ホースを該給水本体の上下方向から夫々前記雄型ホース接続具に着脱自在に取り付け、下側の前記給水ホースは給水源に接続し、上側の前記給水ホースは、前記雄型ホース接続具に接続される水平方向に旋回可能な雌型ホース接続具により前記給水本体の周囲を水平方向に全方位旋回可能に接続し、前記給水本体を中心として前記上側の給水ホースの長さを半径とする円の内部及びその周囲に給水又は散水可能に構成したことを特徴とする全方位給水装置。
【請求項２】
給水ホースを上下方向から夫々着脱自在に取り付けることができるように構成された雄型ホース接続具と、給水対象物の設置面に固定するための固定装置を下部に設け前記雄型ホース接続具を固定するための固定面を上部に設けてなる給水本体とを備え、前記雄型ホース接続具の下側の接続口には給水源に接続された下側の給水ホースが接続される雌型ホース接続具が取り付けられ、前記ホース接続具の上側の接続口には水平方向の旋回を可能とする雄型ホース接続具が固定され、更に該雄型ホース接続具には上側の給水ホースを水平方向に旋回可能とする雌型ホース接続具が取り付けられ、前記給水本体を中心として前記上側の給水ホースの長さを半径とする円の内部及びその周囲に給水又は散水可能に構成したことを特徴とする全方位給水装置。
【請求項３】
前記固定装置は、吸盤であることを特徴とする請求項１又は請求項２に記載の全方位給水装置。
【請求項４】
前記吸盤は、前記給水本体の中心に対して１２０度間隔に配置された３個の吸盤であることを特徴とする請求項３に記載の全方位給水装置。
【考案の詳細な説明】
【考案の詳細な説明】
【技術分野】
【０００１】本考案は、全方位給水装置に係り、特に給水本体を給水対象物の設置面に固定して、下側の給水ホースは雌型ホース接続具を介して給水本体の雄型ホース接続具と給水源に接続し、上側の給水ホースは、雌型ホース接続具を介して給水本体の雄型ホース接続具に接続すれば、水平方向に全方位旋回可能となることにより、給水本体を中心として上側の給水ホースの長さを半径とする円の内部の範囲及びその周囲に給水又は散水可能として、短い給水ホースにより円形の給水対象範囲及びその周囲にあるすべての物に給水又は散水できるようにし、特に自動車のルーフの中央部に給水本体を取り付ければ、その自動車の周囲を回りながら自動車の全体を短いホースで簡単に洗車でき、またあらゆる給水・散水・清掃対象物についてもその周囲を回りながら短い給水ホースで給水・散水・清掃できるようにした、給水ホースの取り回しが極めて楽で、便利かつ画期的な全方位給水装置に関する。
【背景技術】
【０００２】従来、例えば自動車を洗浄するには、給水源となる水道の立上がりの上部に固定された蛇口に給水ホースを取り付けて給水ホースの先端にはブラシ等を取り付け、水を該ブラシから流しながら自動車を洗浄することになるが、蛇口から延びた給水ホースで該自動車を洗浄するには、かなり長い給水ホースを使用しなければならない不便があり、特に蛇口から見て反対側の自動車の面を洗浄するには、自動車を取り巻くように給水ホースを取り回すことになるため、水圧のかかった給水ホースがかなり重く、かつ給水ホースの長さが長くなり、また時にはタイヤに給水ホースが引っ掛かって引きずることができなかったり苦労を伴うものであった。【０００３】またこの自動車の反対面を洗浄した後、反転することなく、そのまま自動車の全面を洗浄するように進んで行くと、給水ホースの長さはますます長さが必要となり、洗浄開始点に戻ったときには、自動車の周囲を一周することになるから、給水ホースの長さは最高となり、例えば全長５ｍ程度の自動車であれば、給水ホースの上下の動きも考慮する必要があるので、直径Ｄ＝５ｍの円の円周、即ち円周率π×直径Ｄ＝π×５ｍ＝１５．７ｍ、約１６ｍ又はそれ以上長さの給水ホースが必要となり、その取り回しは大変である。このため、通常は自動車の反対面を洗浄したら反転して、元の位置へ一旦戻り、逆方向に回って洗浄することになるが、いずれにしても固定した給水源から接続された通常の給水ホースで自動車の全面を洗浄するには、長い給水ホースの取り回しに苦労を強いられることが多く、特に女性や高齢者の場合には、自動車の洗車作業は容易ではなかった。【０００４】また自動車に限らず、その他の洗浄対象物、例えば納屋、プレハブ小屋等の小家屋、農機具、建設機械、大型車輌等を、その回りを回りながら洗浄する場合も同様であり、定置された給水源に固定的に接続された給水ホースで洗浄作業を行う場合には、これらの洗浄対象物のまわりを重たい給水ホースを延ばしながら、かつ取り回しながら、洗浄作業を行う以外に方法がなかったので、非常に作業が大変であり、長い給水ホースを必要とする欠点があった。【０００５】以上の従来技術の共通の欠点は、給水ホースが決して洗浄対象物の上を通り抜けることがなく、給水ホースは常に地面を這いながら取り回わされるという点にあり、この欠点を克服する給水装置の提案はなされておらず、このために非常に長く重たい給水ホースを取り回しながらの洗浄作業が行われていたのである。【０００６】なお、本願考案者及び出願人は、本願考案に対する特許文献及び非特許文献を知らないので、その記載を省略する。
【考案の開示】
【考案が解決しようとる課題】
【０００７】本考案は、上記した従来技術の欠点を除くためになされたものであって、その目的とするところは、給水対象物の設置面に固定するための固定装置を下部に設け雄型ホース接続具を固定するための固定面を上部に設けてなる給水本体を備え、給水ホースを該給水本体の上下方向から夫々雄型ホース接続具に着脱自在に取り付け、下側の給水ホースは給水源に接続し、上側の給水ホースは、雄型ホース接続具に接続される水平方向に旋回可能な雌型ホース接続具により給水本体の周囲を水平方向に全方位旋回可能に接続し、給水本体を中心として上側の給水ホースの長さを半径とする円の内部及びその周囲に給水又は散水可能に構成することによって、下側の給水ホースは給水源から給水対象物、例えば自動車までの短い給水ホースで済み、給水本体を例えば自動車のルーフの中央部に固定することにより、上側の給水ホースは給水本体を中心として全旋回するため、自動車の長さの半分より少し長い位（例えば長さ５ｍの自動車なら約４ｍ位）の給水ホースで十分に足りるようにして、自動車の周囲を回りながら洗車をすることができるようにして、給水ホースの長さを従来に比べてはるかに短くて済むようにし、また給水ホースの洗車中の取り回しが非常に楽になるようにして、洗車作業を初め、あらゆる給水対象物への給水作業を飛躍的に効率化できるようにすることである。
【０００８】また他の目的は、自動車に限らず、その他の洗浄対象物、例えば納屋、プレハブ小屋等の小家屋、農機具、建設機械、大型車輌等を、洗浄又は清掃する場合、給水本体をこれら給水対象物の上面中央部に固定しておくことで、その回りを回りながら極めて短い給水ホースで楽に、しかも短時間で洗浄又は清掃作業を行うことができるようにすることである。また他の目的は、この場合、従来の重たい給水ホースを延ばしながら、かつ取り回しながら、洗浄又は清掃作業を行う必要性をなくすことである。
【０００９】また他の目的は、給水ホースを上下方向から夫々着脱自在に取り付けることができるように構成された雄型ホース接続具と、給水対象物の設置面に固定するための固定装置を下部に設け雄型ホース接続具を固定するための固定面を上部に設けてなる給水本体とを備え、雄型ホース接続具の下側の接続口には給水源に接続された下側の給水ホースが接続される雌型ホース接続具が取り付けられ、雄型ホース接続具の上側の接続口には水平方向の旋回を可能とする雄型ホース接続具が固定され、更に該雄型ホース接続具には上側の給水ホースを水平方向に旋回可能とする雌型ホース接続具が取り付けられ、給水本体を中心として上側の給水ホースの長さを半径とする円の内部及びその周囲に給水又は散水可能に構成することによって、上記目的を達成すると共に、上下側の給水ホースの着脱作業を容易化し、給水作業の開始及び後片付けを容易にすることで、給水作業全般の容易化と作業能率の向上を図ることである。また他の目的は、特に雄型ホース接続具の上側の接続口には水平方向の旋回を可能とする雄型ホース接続具を更に固定し、これに雌型ホース接続具を介して上側の給水ホースを取り付けることで、上側の給水ホースが常時全旋回しても長い使用に耐えるようにして、耐久性に優れた全方位給水装置を提供することである。
【００１０】更に他の目的は、固定装置を吸盤とすることによって、給水対象物、例えば洗車のたびの自動車のルーフへの給水本体の脱着作業を簡略化して、作業の開始及び後片付けを楽に行えるようにすることである。
【００１１】更に他の目的は、吸盤は、給水本体の中心に対して１２０度間隔に配置された３個の吸盤で構成することによって、給水本体の給水対象物、例えば自動車のルーフに対する取付け強度を必要十分として、最低限の費用で十分な機能を備えた全方位給水装置を提供できるようにすることである。
【課題を解決するための手段】
【００１２】要するに本考案（請求項１）は、給水対象物の設置面に固定するための固定装置を下部に設け雄型ホース接続具を固定するための固定面を上部に設けてなる給水本体を備え、給水ホースを該給水本体の上下方向から夫々前記雄型ホース接続具に着脱自在に取り付け、下側の前記給水ホースは給水源に接続し、上側の前記給水ホースは、前記雄型ホース接続具に接続される水平方向に旋回可能な雌型ホース接続具により前記給水本体の周囲を水平方向に全方位旋回可能に接続し、前記給水本体を中心として前記上側の給水ホースの長さを半径とする円の内部及びその周囲に給水又は散水可能に構成したことを特徴とするものである。
【００１３】また本考案（請求項２）は、給水ホースを上下方向から夫々着脱自在に取り付けることができるように構成された雄型ホース接続具と、給水対象物の設置面に固定するための固定装置を下部に設け前記雄型ホース接続具を固定するための固定面を上部に設けてなる給水本体とを備え、前記雄型ホース接続具の下側の接続口には給水源に接続された下側の給水ホースが接続される雌型ホース接続具が取り付けられ、前記ホース接続具の上側の接続口には水平方向の旋回を可能とする雄型ホース接続具が固定され、更に該雄型ホース接続具には上側の給水ホースを水平方向に旋回可能とする雌型ホース接続具が取り付けられ、前記給水本体を中心として前記上側の給水ホースの長さを半径とする円の内部及びその周囲に給水又は散水可能に構成したことを特徴とするものである。
【００１４】また本考案（請求項３）は、前記固定装置は、吸盤であることを特徴とするものである。
【００１５】また本考案（請求項４）は、前記吸盤は、前記給水本体の中心に対して１２０度間隔に配置された３個の吸盤であることを特徴とするものである。
【考案の効果】
【００１６】本考案は、上記のように給水対象物の設置面に固定するための固定装置を下部に設け雄型ホース接続具を固定するための固定面を上部に設けてなる給水本体を備え、給水ホースを該給水本体の上下方向から夫々雄型ホース接続具に着脱自在に取り付け、下側の給水ホースは給水源に接続し、上側の給水ホースは、雄型ホース接続具に接続される水平方向に旋回可能な雌型ホース接続具により給水本体の周囲を水平方向に全方位旋回可能に接続し、給水本体を中心として上側の給水ホースの長さを半径とする円の内部及びその周囲に給水又は散水可能に構成したので、下側の給水ホースは給水源から給水対象物、例えば自動車までの短い給水ホースで済み、給水本体を例えば自動車のルーフの中央部に固定することで、上側の給水ホースは給水本体を中心として全旋回するため、自動車の長さの半分より少し長い位（例えば長さ５ｍの自動車なら約４ｍ位）の給水ホースで十分に足りることになり、自動車の周囲を回りながら洗車をすることができるようになるから、給水ホースの長さを従来に比べてはるかに短くて済むようにできるという画期的な効果が得られ、また給水ホースの洗車中の取り回しが非常に楽になる効果があり、洗車作業を初め、あらゆる給水対象物への給水作業を飛躍的に効率化できるという効果が得られる。
【００１７】また自動車に限らず、その他の洗浄対象物、例えば納屋、プレハブ小屋等の小家屋、農機具、建設機械、大型車輌等を、洗浄又は清掃する場合、給水本体をこれら給水対象物の上面中央部に固定しておくことで、その回りを回りながら極めて短い給水ホースで楽に、しかも短時間で洗浄又は清掃作業を行うことができるという効果がある。
またこの場合、従来の重たい給水ホースを延ばしながら、かつ取り回しながら、洗浄又は清掃作業を行う必要性をなくすことができる効果がある。
【００１８】また給水ホースを上下方向から夫々着脱自在に取り付けることができるように構成された雄型ホース接続具と、給水対象物の設置面に固定するための固定装置を下部に設け雄型ホース接続具を固定するための固定面を上部に設けてなる給水本体とを備え、雄型ホース接続具の下側の接続口には給水源に接続された下側の給水ホースが接続される雌型ホース接続具が取り付けられ、雄型ホース接続具の上側の接続口には水平方向の旋回を可能とする雄型ホース接続具が固定され、更に該雄型ホース接続具には上側の給水ホースを水平方向に旋回可能とする雌型ホース接続具が取り付けられ、給水本体を中心として上側の給水ホースの長さを半径とする円の内部及びその周囲に給水又は散水可能に構成したので、上記効果が得られると共に、上下側の給水ホースの着脱作業を容易化し、給水作業の開始及び後片付けを容易にすることができる効果があり、給水作業全般の容易化と作業能率の向上を図ることができる効果がある。また特に雄型ホース接続具の上側の接続口には水平方向の旋回を可能とする雄型ホース接続具を更に固定し、これに雌型ホース接続具を介して上側の給水ホースを取り付けたので、上側の給水ホースが常時全旋回しても長い使用に耐えることができ、耐久性に優れた全方位給水装置を提供し得る効果がある。
【００１９】更には、固定装置を吸盤としたので、給水対象物、例えば洗車のたびの自動車のルーフへの給水本体の脱着作業が簡略化され、作業の開始及び後片付けを楽に行えるという効果が得られる。
【００２０】更には、吸盤は、給水本体の中心に対して１２０度間隔に配置された３個の吸盤で構成したので、給水本体の給水対象物、例えば自動車のルーフに対する取付け強度を必要十分としながら、最低限の費用で十分な機能を備えた全方位給水装置を提供できるという効果がある。
【図面の簡単な説明】
【００２１】
【図１】上下側のホースを部分図示した全方位給水装置の斜視図である。
【図２】全方位給水装置の分解斜視図である。
【図３】全方位給水装置の平面図である。
【図４】全方位給水装置の正面図である。
【図５】給水本体の上面に取り付けられた雄型ホース接続具の取付け状態を示す縦断面図である。
【図６】全方位給水装置を使用して自動車の洗車をしている状態を示す平面図である。
【考案を実施するための最良の形態】
【００２２】以下本考案を図面に示す実施例に基づいて説明する。本考案に係る全方位給水装置１は、図１から図６に示すように、給水ホース５，９を上下方向から夫々着脱自在に取り付けることができるように構成された雄型ホース接続具２（図２、図５）と、給水対象物の一例たる自動車１９（図６）の設置面の一例たるルーフ１９ａに固定するための固定装置の一例たる吸盤３を下部４ａに設け雄型ホース接続具２を固定するための固定面４ｂを上部４ｃに設けてなる給水本体４とを備え、雄型ホース接続具２の下側の接続口２ａには給水源２０（図６）に接続された下側の給水ホース５が接続される雌型ホース接続具６が取り付けられ、雄型ホース接続具２の上側の接続口２ｂには水平方向の旋回を可能とする雄型ホース接続具８が固定され、更に該雄型ホース接続具には上側の給水ホース９を水平方向に旋回可能とする雌型ホース接続具１０が取り付けられ、給水本体４を中心として上側の給水ホース９の長さを半径とする円の内部及びその周囲に給水又は散水可能に構成したものである。【００２３】給水本体４は、下部４ａが基本的に等間隔の三脚状に形成されており、該下部４ａは円周方向に１２０度間隔で平面状に配置されている。そして下部４ａの中央部には雄型ホース接続具２を脱着するための作業穴４ｄが形成され、該作業穴の周囲を取り囲むように、切欠き窓４ｅが形成された断面円形の中空の立上がり部４ｆが一体的に形成され、給水本体４は、上側の給水ホース９の使用における繰返しの旋回と曲げ作用に起因する応力にも耐え得るような強度を持たせるため、立上がり部４ｆはかなりの肉厚に形成してあり、下部４ａと一体的に、例えば合成樹脂、アルミニウムダイキャスト、板金又は鋳鉄等で一体成形されている。
また図５に示すように、給水本体４の上部４ｃの固定面４ｂには、雄型ホース接続具２を取り付けるための１個の取付け穴４ｇ及び（円周方向に１２０度間隔で）３個のめねじ穴４ｈが夫々形成されている。また図１から図３に示すように、下部４ａには、吸盤３を取り付けるための取付け穴４ｉが円周方向に１２０度間隔で３箇所に形成されている。【００２４】雄型ホース接続具２は、図２及び図５に示すように、市販ものでよく、中央部に形成されたフランジ部２ｃを中心にして、上下側に夫々上側の接続口２ｂと、下側の接続口２ａがフランジ部２ｃと一体的に形成され、各々の接続口２ａ，２ｂには溝２ｄ，２ｅが形成され、該溝にＯリング等のシール部材１１，１２が夫々装着されており、中央部は通水穴２ｆが貫通していて、ここを水が通るように構成され、水密構造となっている。
またフランジ部２ｃには円周方向に１２０度の等間隔で取付け穴２ｇが３箇所に形成され、ビス１３が固定面４ｂのめねじ穴４ｈに螺合してフランジ部２ｃが給水本体４の固定面４ｂの下側から固定されることにより雄型ホース接続具２が給水本体４に取り付けられている。この取付け作業において、ビス１３を回すためのドライバ等の工具（図示せず）が下側から入るように形成された作業穴４ｄが使用され、この作業穴４ｄから工具を差し込んでビス１３によるフランジ部２ｃの固定作業を行うことができるようになっている。【００２５】固定装置の一例たる吸盤３は、図１から図４に示すように、吸着板３ａと該吸着板から一体的に立ち上がり形成された円筒部３ｂと、吸着板３ａを給水対象物の一例たる自動車１９（図６）のルーフ１９ａから引き剥がすためのひも３ｃとからなり、円筒部３ｂが給水本体４の下部４ａの各取付け穴４ｉに下から上に向けて差し込まれ、夫々ビス１４及びナット１５により抜け止め固定されて下部４ａに取り付けられており、ひも３ｃは適宜な手段（タグ取付け穴方式又は接着等の手段）で吸着板３ａにその一端が固着され、つまみ易い適度な長さに設定されている。
なお固定装置は、吸盤３に限定されるものではなく、その他の適宜な固定装置であってもよい。例えば給水対象物にクランプ方式（図示せず）で固定するもの、取付けねじ方式（図示せず）で固定するもの、ひも等（図示せず）を用いて固定するものであってもよい。【００２６】旋回を可能とする雄型ホース接続具８は、図２に示すように、市販のものでよく、通水穴８ｆが中央部に貫通形成されており、上部の雄型接続口８ａにはＯリング等のシール部材１６が装着され、固定用の円筒部８ｂがビス１８により３方向から、給水本体４に固定された雄型ホース接続具２の上側の接続口２ｂに水密状態で装着されている。
そして雄型ホース接続具８の雄型ホース接続口８ａにＬ字形に形成された市販の全方位旋回可能方式の雌型ホース接続具１０が着脱自在に取り付けられるようになっており、通常は、図１に示すように、雌型ホース接続具１０に上側の給水ホース９が取り付けられた状態で雌型ホース接続具１０が雄型ホース接続具８に対して着脱する、即ち使用時には上側の給水ホース９ごと雌型ホース接続具１０を装着し、使用終了時にはこれを取り外して後片付けをするように構成されている。【００２７】下側の給水ホース５用の雄型ホース接続具６は、図２に示すように、市販のものでよく、Ｌ字形に形成されて雄型ホース接続具２の下側のホース接続口２ａに着脱自在に構成されており、図１に示すように、通常は下側の給水ホース５を取り付けた状態で下側の接続口２ａに対して着脱自在となっている。そして給水本体４の立上がり部４ｆの切欠き窓４ｅの開口の範囲内で旋回可能に構成されていて、ある程度の水平方向の旋回が可能となっているが、あくまでこれは大きく旋回させる必要はなく、給水源（図示せず）に下側の給水ホース５が接続された状態で、固定的に設置されるのが原則であり、上側の給水ホース９のみを給水本体４回りに旋回させる構成となっている。【００２８】そして図６に示すように、全方位給水装置１の給水本体４を給水対象物の一例たる自動車１９の設置面の一例たるルーフ１９ａに吸盤３により固定して給水源２０に接続された下側の給水ホース５を雌型ホース接続具６を介して給水本体４の下側の接続口２ａに接続し、手元での散水又は散水停止機能やブラシ２１が先端に取り付けられて散水機能を有する散水ノズル２２が取り付けられた上側の給水ホース９を雄型ホース接続具８の雄型接続口８ａに雌型ホース接続具１０を介して取り付け、給水本体４回りに作業者２４が矢印Ａ又はＢの如く自動車１９の回りを旋回しながら給水本体４を中心とする上側の給水ホース９の長さを半径とする円２３の内部にある自動車１９全体をくまなく洗車することができるように構成されており、また給水対象物が自動車１９でなく庭や畑等の場合には、円２３の内部はもちろんのこと、必要に応じて円２３の更に外側の範囲にも給水又は散水できるようにしたものである。【００２９】本考案は、上記のように構成されており、以下その作用について説明する。まず本考案に係る全方位給水装置１を使用して図６に示すような自動車１９の洗車を行う場合について説明すると、全方位給水装置１の使用に当っては、まず給水本体４から上下の給水ホース９，５が外された状態又はこれらの給水ホースが接続された状態で給水本体４を自動車１９のルーフ１９ａの中央部に置いて、これを上から押し付けることで吸盤３の吸着板３ａの空気が抜けて真空状態となって、該吸盤３がルーフ１９ａに吸着することにより給水本体４は、ルーフ１９ａに強固に固定される。【００３０】給水本体４に上下の給水ホース９，５が装着されている場合には、下側の給水ホース５を給水源２０に取り付け、手元の散水ノズルが停止状態になっていることを確認する。また上下の給水ホース９，５が給水本体４から外されている場合には、まず上側の給水ホース９を雌型ホース接続具１０により雄型ホース接続具８に接続し、ついで下側の給水ホース５を雌型ホース接続具６により雄型ホース接続具２に切欠き窓４ｅから差し込んで装着してから給水源２０に接続し、手元の散水ノズルが停止状態になっていることを確認する。【００３１】以上により全方位給水装置１の準備が完了し、作業者２４は、給水源２０を開いて水を出し、手元の散水ノズル２２を散水状態にセットして、自動車１９の任意の場所から洗車を開始する。このとき作業者が上側の給水ホース９を持って自動車１９の回りを回ることになるが、本考案全方位給水装置１では、雌型ホース接続具８が全旋回可能であるため、上側の給水ホース９は軽快に給水本体４の回りを旋回してくれるから、作業者は何の抵抗もなく、上側の給水ホース９を旋回させることができ、自動車１９の全面を極めて容易に洗車することができる。【００３２】また給水本体４をルーフ１９ａの中心に固定することで、自動車１９の長さの半分より少し長い位の給水ホース９により自動車１９全体を洗車できるから、従来よりもはるかに短い上側の給水ホース９により洗車することができる。例えば長さ５ｍの自動車１９であれば、４ｍ位の短い給水ホース９で済むことになり、また下側の給水ホース５は給水源２０から自動車１９のルーフ１９ａの中心部までの長さがあればよいので、これも短くて済む。【００３３】また給水本体４の立上がり部４ｆが下部４ａからある程度の高さを確保し、更にその上に雄型ホース接続具８があり、更にその上に雌型ホース接続具１０が存在し、ここに上側の給水ホース９が取り付けられているので、ルーフ１９ａから上側の給水ホース９までかなりのスペースが生まれ、これが上側の給水ホース９の取回しをより楽にすることにつながり、また自動車１９の車体を傷付けるおそれが少く、安心して洗車を行うことができる。【００３４】更に洗車作業中においては、上側の給水ホース９の繰り返しの旋回運動や曲げ作用により、給水本体４の立上がり部４ｆやその付け根部にはかなりの繰り返し曲げ応力が発生するが、給水本体４の立上がり部４ｆは断面円形のかなりの肉厚に形成してあり、また給水本体４は各種の材料で一体成形されているので、疲労破壊するおそれもなく、耐久性は十分であり、長期間にわたって使用することができる。【００３５】洗車作業が終了したら、まず給水源２０の水を止め、下側の給水ホース５を給水源２０から外し、上下の給水ホース９，５を給水本体４に取り付けたまま又はこれらを外してから、全方位給水装置１の吸盤３のひも３ｃを夫々上に引くことで吸着板３ａ内の空気が抜けるため、吸盤３の吸着力が失われ、極めて簡単に給水本体４を自動車１９のルーフ１９ａから取り外すことができ、全方位給水装置１を自動車１９から取り外してすべての作業が完了となる。【００３６】なお、本考案に係る全方位給水装置１は、自動車１９の洗車に限らず、あらゆる給水対象物に対する給水、散水、洗浄等の作業に用いることができる。例えばプレハブ小屋、納屋等の小規模の家屋、農機具、建設機械、大型車輌の洗浄に、更には庭や畑への散水又は給水作業にも短い上側の給水ホース９の使用で対応することができ、まことに便利なもので、その用途は極めて広範であり、画期的な考案である。
【符号の説明】
【００３７】  １    全方位給水装置
２    雄型ホース接続具
２ａ  下側の接続口
２ｂ  上側の接続口
２ｃ  フランジ部
２ｄ  溝
２ｅ  溝
２ｆ  通水穴
２ｇ  取付け穴
３    固定装置の一例たる吸盤
３ａ  吸着板
３ｂ  円柱部
３ｃ  ひも
４    給水本体
４ａ  下部
４ｂ  固定面
４ｃ  上部
４ｄ  作業穴
４ｅ  切欠き窓
４ｆ  立上がり部
４ｇ  取付け穴
４ｈ  めねじ穴
４ｉ  取付け穴
５    下側の給水ホース
６    雌型ホース接続具
８    雄型ホース接続具
８ａ  雄型ホース接続口
８ｂ  円筒部
８ｆ  通水穴
９    上側の給水ホース
１０    雌型ホース接続具
１１    シール部材
１２    シール部材
１３    ビス
１４    ビス
１５    ナット
１６    シール部材
１８    ビス
１９    給水対象物の一例たる自動車
２０    給水源
２１    ブラシ
２２    散水ノズル
２３    円
２４    作業者
Ａ      矢印
Ｂ      矢印
【図１】
0003189268.tif 000003
【図２】
0003189268.tif 000004
【図３】
0003189268.tif 000005
【図４】
0003189268.tif 000006
【図５】
0003189268.tif 000007
【図６】
0003189268.tif 000008